(57)【要約】【課題】薬剤または掃除用具を必要とせずにトイレ内の任意の箇所を洗浄または除菌可能な衛生洗浄装置を提供することである。【解決手段】瞬間加熱装置３３に洗浄水が供給された場合、瞬間加熱装置３３により洗浄水が加熱され、加熱された洗浄水または加熱により発生した水蒸気が切替弁１６に供給される。切替弁１６は、制御部４により与えられる制御信号に基づいて、噴射ガン１７およびノズル洗浄ノズル３のいずれか一方に加熱された洗浄水または水蒸気を供給する。噴射ガン１７より噴出される温水および水蒸気の流量は、切替弁１４により調整される。【選択図】        図２
2004270137.tif 000002
【特許請求の範囲】
【請求項１】
給水源から供給される洗浄水を人体に噴出する衛生洗浄装置であって、
前記洗浄水を人体に噴出する人体洗浄ノズル装置と、
蒸気を発生する蒸気発生手段と、
前記蒸気発生手段により発生された蒸気を噴出する噴出孔を有する蒸気噴出装置と、
柔軟性を有し、前記蒸気発生手段により発生された蒸気を前記蒸気噴出装置に導く管状部材とを備えたことを特徴とする衛生洗浄装置。
【請求項２】
前記蒸気噴出装置は、前記噴出孔からの蒸気の噴出を指示する噴出指示手段を有し、
前記噴出指示手段の指示に応答して前記蒸気発生手段により発生された蒸気を前記管状部材を通して前記蒸気噴出装置に供給する蒸気供給手段をさらに備えたことを特徴とする請求項１記載の衛生洗浄装置。
【請求項３】
前記噴出指示手段はスイッチを含み、
前記蒸気供給手段は、前記スイッチの操作に応答して前記蒸気発生手段により発生された蒸気を前記管状部材を通して前記蒸気噴出装置に供給することを特徴とする請求項２記載の衛生洗浄装置。
【請求項４】
前記スイッチは、操作している間オンするスイッチを含み、
前記蒸気供給手段は、前記スイッチの操作時に前記蒸気発生手段により発生された蒸気を前記管状部材を通して前記蒸気噴出装置に供給することを特徴とする請求項３記載の衛生洗浄装置。
【請求項５】
前記噴出指示手段を無効にするための無効化手段をさらに備え、
前記噴出指示手段は、前記無効化手段の操作により前記噴出孔からの蒸気の噴出の指示が無効となることを特徴とする請求項２〜４のいずれかに記載の衛生洗浄装置。
【請求項６】
前記蒸気噴出装置の少なくとも一部が耐熱材料により形成されることを特徴とする請求項１〜５のいずれかに記載の衛生洗浄装置。
【請求項７】
前記蒸気噴出装置は、
前記蒸気発生手段により発生された蒸気が導かれる本体部と、
前記噴出孔を有するとともに前記本体部に着脱自在に設けられた噴出部材とを含むことを特徴とする請求項１〜６のいずれかに記載の衛生洗浄装置。
【請求項８】
前記蒸気発生手段を内蔵する装置本体部と、
前記装置本体部に設けられ、前記蒸気噴出装置を収納可能な収納部とをさらに備えたことを特徴とする請求項１〜６のいずれかに記載の衛生洗浄装置。
【請求項９】
前記蒸気発生手段は、
洗浄水を加熱する加熱装置と、
前記加熱装置に洗浄水を供給する洗浄水供給手段と、
前記洗浄水供給手段により前記加熱装置に供給される洗浄水の流量を調整する流量調整手段とを含むことを特徴とする請求項１〜８のいずれかに記載の衛生洗浄装置。
【請求項１０】
人体洗浄ノズル装置を洗浄するノズル洗浄装置と、
前記蒸気発生手段により発生された蒸気を前記蒸気噴出装置および前記ノズル洗浄装置に選択的に供給する流路切り替え手段とをさらに備えたことを特徴とする請求項１〜９のいずれかに記載の衛生洗浄装置。
【請求項１１】
前記蒸気噴出装置は、前記人体ノズル洗浄装置に着脱可能に設けられたことを特徴とする請求項１〜９のいずれかに記載の衛生洗浄装置。
【請求項１２】
給水源から供給される洗浄水を人体に噴出する衛生洗浄装置であって、
前記洗浄水を人体に噴出する人体洗浄ノズル装置と、
蒸気を発生する蒸気発生手段と、
柔軟性を有し、前記洗浄水を前記蒸気発生手段に導く管状部材と、
前記蒸気発生手段により発生された蒸気を噴出する噴出孔を有する蒸気噴出装置とを備えたことを特徴とする衛生洗浄装置。
【発明の詳細な説明】
【０００１】
【発明の属する技術分野】
本発明は、人体を洗浄する衛生洗浄装置に関する。
【０００２】
【従来の技術】
近年、人体を衛生的に洗浄する衛生洗浄装置が使用されている。この衛生洗浄装置では、人体洗浄用のノズルから洗浄水が噴出され、人体の局部が洗浄される。その際、汚れが人体洗浄用のノズルに付着することもあることから、ノズル洗浄機構を備えた衛生洗浄装置が開発されている（例えば、特許文献１参照）。この衛生洗浄装置によれば、局部洗浄中にノズル表面に水の被膜が形成され、ノズル表面に付着した汚れが水の被膜とともに洗い流される。
【０００３】
【特許文献１】
特開平１１−１９３５６７号公報
【０００４】
【発明が解決しようとする課題】
しかしながら、人体洗浄用のノズル以外に汚物が付着した場合、薬剤、掃除用具等が必要である。
【０００５】
本発明の目的は、薬剤または掃除用具を必要とせずにトイレ内の任意の箇所を洗浄および除菌することが可能な衛生洗浄装置を提供することである。
【０００６】
【課題を解決するための手段】
従来の課題を解決するために、本発明に係る衛生洗浄装置は、給水源から供給される洗浄水を人体に噴出する衛生洗浄装置であって、洗浄水を人体に噴出する人体洗浄ノズル装置と、蒸気を発生する蒸気発生手段と、蒸気発生手段により発生された蒸気を噴出する噴出孔を有する蒸気噴出装置と、柔軟性を有し、蒸気発生手段により発生された蒸気を蒸気噴出装置に導く管状部材とを備えるものである。
【０００７】
本発明に係る衛生洗浄装置においては、給水源から供給される洗浄水が蒸気発生手段により蒸気となり、柔軟性を有する管状部材を通って蒸気噴出装置の噴出孔から噴出する。
【０００８】
【発明の実施の形態】
請求項１に記載の発明は、給水源から供給される洗浄水を人体に噴出する衛生洗浄装置であって、洗浄水を人体に噴出する人体洗浄ノズル装置と、蒸気を発生する蒸気発生手段と、蒸気発生手段により発生された蒸気を噴出する噴出孔を有する蒸気噴出装置と、柔軟性を有し、蒸気発生手段により発生された蒸気を蒸気噴出装置に導く管状部材とを備えたことを特徴とする衛生洗浄装置である。
【０００９】
本発明に係る衛生洗浄装置においては、給水源から供給される洗浄水が蒸気発生手段により蒸気となり、柔軟性を有する管状部材を通って蒸気噴出装置の噴出孔から噴出する。したがって、薬剤または掃除用具を準備することなく、トイレ内の任意の箇所を蒸気により洗浄することができるとともに蒸気により除菌することができる。
【００１０】
請求項２に記載の発明は、請求項１に記載の衛生洗浄装置の構成において、蒸気噴出装置は、噴出孔からの蒸気の噴出を指示する噴出指示手段を有し、噴出指示手段の指示に応答して蒸気発生手段により発生された蒸気を管状部材を通して蒸気噴出装置に供給する蒸気供給手段をさらに備えるものである。
【００１１】
この場合、噴出指示手段の指示に応答して蒸気発生手段により発生された蒸気が、管状部材を通って蒸気噴出装置の噴出孔から噴出する。したがって、使用者の必要に応じて蒸気を噴出させることが可能である。
【００１２】
請求項３に記載の発明は、請求項２に記載の衛生洗浄装置の構成において、噴出指示手段はスイッチを含み、蒸気供給手段は、スイッチの操作に応答して蒸気発生手段により発生された蒸気を管状部材を通して蒸気噴出装置に供給するものである。
【００１３】
この場合、噴出指示手段のスイッチが操作された場合に蒸気発生手段により発生された蒸気が管状部材を通って蒸気噴出装置の噴出孔から噴出される。したがって、使用者の必要に応じて蒸気が噴出される。その結果、効率的な洗浄ができる。
【００１４】
請求項４に記載の発明は、請求項３に記載の衛生洗浄装置の構成において、スイッチは、操作している間オンするスイッチを含み、蒸気供給手段は、スイッチの操作時に蒸気発生手段により発生された蒸気を管状部材を通して蒸気噴出装置に供給するものである。
【００１５】
この場合、スイッチを操作している間に蒸気発生手段により発生された蒸気が管状部材を通って蒸気噴出装置の噴出孔から噴出される。したがって、洗浄または除菌する箇所以外の箇所に誤って蒸気が噴出されない。
【００１６】
請求項５に記載の発明は、請求項２〜４のいずれかに記載の衛生洗浄装置の構成において、噴出指示手段を無効にするための無効化手段をさらに備え、噴出指示手段は、無効化手段の操作により噴出孔からの蒸気の噴出の指示を無効とするものである。
【００１７】
この場合、無効化手段が操作されることにより、噴出指示手段による蒸気の噴出の指示が無効となる。したがって、幼児等が誤ってスイッチを操作しても蒸気が噴出されないため、安全性が確保される。
【００１８】
請求項６に記載の発明は、請求項１〜５のいずれかに記載の衛生洗浄装置の構成において、蒸気噴出装置の少なくとも一部が耐熱材料により形成されるものである。この場合、耐熱材料により形成された蒸気噴出装置に蒸気が供給される。したがって、蒸気によって蒸気噴出装置が熱変形することがない。
【００１９】
請求項７に記載の発明は、請求項１〜６のいずれかに記載の衛生洗浄装置の構成において、蒸気噴出装置は、蒸気発生手段により発生された蒸気が導かれる本体部と、噴出孔を有するとともに本体部に着脱自在に設けられた噴出部材とを含むものである。
【００２０】
この場合、蒸気が導かれる本体部から噴出部材を着脱することができる。したがって、洗浄または除菌する箇所に見合った噴出部材に交換することができる。
【００２１】
請求項８に記載の発明は、請求項１〜６のいずれかに記載の衛生洗浄装置の構成において、蒸気発生手段を内蔵する装置本体部と、装置本体部に設けられ、蒸気噴出装置を収納可能な収納部とをさらに備えるものである。
【００２２】
この場合、蒸気噴出装置は装置本体部に設けられた収納部に収納される。したがって、衛生洗浄装置の構成が複雑化しない。
【００２３】
請求項９に記載の発明は、請求項１〜８のいずれかに記載の衛生洗浄装置の構成において、蒸気発生手段は、洗浄水を加熱する加熱装置と、加熱装置に洗浄水を供給する洗浄水供給手段と、洗浄水供給手段により加熱装置に供給される洗浄水の流量を調整する流量調整手段とを含むものである。
【００２４】
この場合、流量調整手段により流量を調整された洗浄水が洗浄水供給手段により加熱装置に供給される。したがって、様々な温度の洗浄水または蒸気を用いて洗浄または除菌することができる。その結果、用途に応じた洗浄または除菌をすることができる。
【００２５】
請求項１０に記載の発明は、請求項１〜９のいずれかに記載の衛生洗浄装置の構成において、人体洗浄ノズル装置を洗浄するノズル洗浄装置と、蒸気発生手段により発生された蒸気を蒸気噴出装置およびノズル洗浄装置に選択的に供給する流路切り替え手段とをさらに備えるものである。
【００２６】
この場合、蒸気発生手段により発生された蒸気は、流路切替え手段により蒸気噴出装置およびノズル洗浄装置に選択的に供給される。したがって、人体ノズル洗浄装置またはトイレ内の任意の箇所を蒸気により洗浄および除菌することができる。
【００２７】
請求項１１に記載の発明は、請求項１〜９のいずれかに記載の衛生洗浄装置の構成において、蒸気噴出装置は、人体ノズル洗浄装置に着脱可能に設けられてもよい。この場合、蒸気噴出装置を人体ノズル洗浄装置に取り付けることにより、人体ノズル装置の洗浄または除菌が行われる。
【００２８】
したがって、蒸気噴出装置により人体ノズル洗浄装置またはトイレ内の任意の箇所の洗浄または除菌を行うことができる。また、人体ノズル洗浄装置を洗浄または除菌する専用の装置を備える必要がないため、衛生洗浄装置をコンパクトな構造にすることができる。
【００２９】
請求項１２に記載の発明は、給水源から供給される洗浄水を人体に噴出する衛生洗浄装置であって、洗浄水を人体に噴出する人体洗浄ノズル装置と、蒸気を発生する蒸気発生手段と、柔軟性を有し、洗浄水を蒸気発生手段に導く管状部材と、蒸気発生手段により発生された蒸気を噴出する噴出孔を有する蒸気噴出装置とを備える衛生洗浄装置である。
【００３０】
本発明に係る衛生洗浄装置においては、給水源から供給された洗浄水が管状部材を通って蒸気発生手段に供給される。蒸気発生手段により発生された蒸気が蒸気噴出装置の噴出孔から噴出する。したがって、薬剤または掃除用具を準備することなく、トイレ内の任意の箇所を蒸気により洗浄することができるとともに蒸気により除菌することができる。
【００３１】
【実施例】
以下、本発明の実施例に係る衛生洗浄装置について説明する。
【００３２】
（第１の実施例）
図１は本発明の第１の実施例に係る衛生洗浄装置を便器に装着した状態を示す斜視図である。
【００３３】
図１に示すように、便器６００上に衛生洗浄装置１００が装着される。タンク７００は、水道配管に接続されており、便器６００内に洗浄水を供給する。
【００３４】
衛生洗浄装置１００は、本体部２００、遠隔操作装置３００、便座部４００および蓋部５００により構成される。
【００３５】
本体部２００には便座部４００および蓋部５００が開閉自在に取り付けられ、本体部２００の側部には収納スペース１８が取り付けられている。さらに、本体部２００には、噴射ガン１７およびノズル部３０を含む洗浄機構が設けられるとともに、制御部が内蔵されている。
【００３６】
噴射ガン１７は、収納スペース１８に収納可能である。それにより、衛生洗浄措置１００の構成が複雑化しない。
【００３７】
本体部２００の制御部は、遠隔操作装置３００および噴射ガン１７により送信される信号に基いて、洗浄水供給機構を制御する。
【００３８】
図２は、本発明の第１の実施例に係る衛生洗浄装置１００の本体部２００の構成を示す模式図である。
【００３９】
図２に示す本体部２００は、制御部４、分岐水栓５、ストレーナ６、逆止弁７、定流量弁８、止水電磁弁９、流量センサ１０、熱交換器１１、温度センサ１２ａ，１２ｂ，１２ｃ、ポンプ１３、切替弁１４、切替弁１６、噴射ガン１７、ノズル部３０および瞬間加熱装置３３を含む。ノズル部３０は、おしりノズル１、ビデノズル２およびノズル洗浄用ノズル３を含む。瞬間加熱装置３３は、サーミスタ３３ａ、サーモスタット３３ｂおよび温度ヒューズ（図示せず）を備える。ノズル洗浄用ノズル３は、温度センサ１２ｃを備える。噴射ガン１７は、温度センサ１２ｄを備える。
【００４０】
図２に示すように、水道配管２０１に分岐水栓５が介挿される。分岐水栓５と熱交換器１１との間に接続される配管２０２に、ストレーナ６、逆止弁７、定流量弁８、止水電磁弁９、流量センサ１０および温度センサ１２ａが順に介挿されている。熱交換器１１と切替弁１４との間に接続される配管２０３に、温度センサ１２ｂおよびポンプ１３が介挿されている。切替弁１４と切替弁１６との間に接続される配管２０７に瞬間加熱装置３３が介挿される。
【００４１】
まず、水道配管２０１を流れる浄水が、洗浄水として分岐水栓５によりストレーナ６に供給される。ストレーナ６により洗浄水に含まれるごみや不純物等が除去される。次に、逆止弁７により配管２０２内における洗浄水の逆流が防止される。そして、定流量弁８により配管２０２内を流れる洗浄水の流量が一定に維持される。
【００４２】
また、ポンプ１３と切替弁１４との間にはリリーフ配管２０４が接続され、止水電磁弁９と流量センサ１０との間には、分岐点Ａにおいて逃がし水配管２０５が接続されている。リリーフ配管２０４には、リリーフ弁２０６が介挿されている。リリーフ弁２０６は、配管２０３の特にポンプ１３の下流側の圧力が所定値を超えると開成し、水圧異常時の機器の破損、ホースの外れ等の不具合を防止する。一方、定流量弁８によって流量が調節され供給される洗浄水のうちポンプ１３で吸引されない洗浄水を逃がし水配管２０５から放出する。これにより、水道供給圧に左右されることなくポンプ１３には所定の背圧が作用することになる。
【００４３】
次いで、流量センサ１０は、配管２０２内を流れる洗浄水の流量を測定し、制御部４に流量測定値を与える。また、温度センサ１２ａは、配管２０２内を流れる洗浄水の温度を測定し、制御部４に温度測定値を与える。
【００４４】
続いて、熱交換器１１は、制御部４により与えられる制御信号に基いて、配管２０２を通して供給された洗浄水を所定の温度に加熱する。温度センサ１２ｂは、熱交換器１１により所定の温度に加熱された洗浄水の温度を測定し、制御部４に温度測定値を与える。
【００４５】
ポンプ１３は、熱交換器１１により加熱された洗浄水を制御部４により与えられる制御信号に基いて、切替弁１４に圧送する。切替弁１４は、制御部４により与えられる制御信号に基いて、ノズル部３０のおしりノズル１、ビデノズル２および瞬間加熱装置３３のいずれか１つに洗浄水を供給する。
【００４６】
ノズル部３０のおしりノズル１またはビデノズル２に洗浄水が供給された場合、おしりノズル１またはビデノズル２より洗浄水が噴出される。一方、瞬間加熱装置３３に洗浄水が供給された場合、瞬間加熱装置３３により洗浄水が加熱され、加熱された洗浄水または加熱により発生した水蒸気が切替弁１６に供給される。
【００４７】
切替弁１６は、制御部４により与えられる制御信号に基づいて、噴射ガン１７およびノズル洗浄用ノズル３のいずれか一方に加熱された洗浄水または水蒸気を供給する。
【００４８】
ノズル洗浄用ノズル３または噴射ガン１７から加熱された洗浄水または水蒸気が噴出される。なお、瞬間加熱装置３３においては、サーミスタ３３ａおよびサーモスタット３３ｂおよび温度ヒューズにより洗浄水の過熱が防止される。
【００４９】
温度センサ１２ｃは、ノズル洗浄用ノズル３に供給された洗浄水または水蒸気の温度を測定して制御部４に温度測定値を与える。温度センサ１２ｄは、噴射ガン１７に供給された洗浄水または水蒸気の温度を測定して制御部４に温度測定値を与える。
【００５０】
おしりノズル１およびビデノズル２より噴出される洗浄水の流量ならびにノズル洗浄用ノズル３および噴射ガン１７より噴出される洗浄水および水蒸気の流量は、切替弁１４により調整される。
【００５１】
制御部４は、図１の遠隔操作装置３００から無線送信される信号、噴射ガン１７から与えられる信号、流量センサ１０から与えられる流量測定値、温度センサ１２ａ〜１２ｄから与えられる温度測定値およびサーミスタ３３ｂから与えられる温度測定値に基き止水電磁弁９、熱交換器１１、ポンプ１３、切替弁１４、瞬間加熱装置３３および切替弁１６に対して制御信号を与える。
【００５２】
図３（ａ）は切替弁１４の縦断面図であり、図３（ｂ）は図３（ａ）の切替弁１４のＡ−Ａ線断面図であり、図３（ｃ）は図３（ａ）の切替弁１４のＢ−Ｂ線断面図であり、図３（ｄ）は図３（ａ）の切替弁１４のＣ−Ｃ線断面図である。
【００５３】
図３に示す切替弁１４は、モータ１４１、内筒１４２および外筒１４３により構成される。
【００５４】
外筒１４３内に内筒１４２が挿入され、モータ１４１の回転軸が内筒１４２に取り付けられている。モータ１４１は、制御部４により与えられる制御信号に基いて回転動作を行う。モータ１４１が回転することにより内筒１４２が回転する。
【００５５】
図３（ａ），（ｂ），（ｃ），（ｄ）に示すように、外筒１４３の一端には、洗浄水入口１４３ａが設けられ、側部の対向する位置に洗浄水出口１４３ｂ，１４３ｃが設けられ、側部の洗浄水出口１４３ｂ，１４３ｃと異なる位置に洗浄水出口１４３ｄが設けられ、側部の洗浄水出口１４３ｂ，１４３ｃ，１４３ｄと異なる位置に洗浄水出口１４３ｅが設けられている。内筒１４２の互いに異なる位置に孔１４２ｅ，１４２ｆ，１４２ｇが設けられている。孔１４２ｅ，１４２ｆの周辺には、図３（ｂ），（ｃ）に示すように、曲線および直線で構成される面取り部（凹部）が形成され、孔１４２ｇの周辺には、図３（ｄ）に示すように、直線で構成される面取り部（凹部）が形成されている。
【００５６】
内筒１４２の回転により、孔１４２ｅが外筒１４３の洗浄水出口１４３ｂまたは１４３ｃと対向可能になっており、孔１４２ｆが外筒１４３の洗浄水出口１４３ｄと対向可能になっており、孔１４２ｇが外筒１４３の洗浄水出口１４３ｅと対向可能になっている。
【００５７】
洗浄水入口１４３ａには、図２の配管２０３が接続され、洗浄水出口１４３ｂには、ビデノズル２が接続され、洗浄水出口１４３ｃには、おしりノズル１の第１の流路が接続され、洗浄水出口１４３ｄには、おしりノズルの第２の流路が接続され、洗浄水出口１４３ｅには、ノズル洗浄用ノズル３が接続されている。
【００５８】
図４は図３の切替弁１４の動作を示す断面図である。
図４（ａ）〜（ｆ）は切替弁１４のモータ１４１がそれぞれ０度、９０度、１３５度、１８０度、２２５度および２７０度回転した状態を示す。
【００５９】
まず、図４（ａ）に示すように、モータ１４１を回転させない（０度）場合には、内筒１４２の孔１４２ｅの周囲の面取り部（凹部）が外筒１４３の洗浄水出口１４３ｂに対向する。したがって、洗浄水が洗浄水入口１４３ａより内筒１４２の内部を通過して、矢印Ｗ１で示すように洗浄水出口１４３ｂから流出する。
【００６０】
次に、図４（ｂ）に示すように、モータ１４１が内筒１４２を９０度回転させた場合には、内筒１４２の孔１４２ｇの周囲の面取り部（凹部）が外筒１４３の洗浄水出口１４３ｅに対向する。したがって、洗浄水が洗浄水入口１４３ａより内筒１４２の内部を通過して、矢印Ｗ２で示すように洗浄水出口１４３ｅから流出する。
【００６１】
次いで、図４（ｃ）に示すように、モータ１４１が内筒１４２を１３５度回転させた場合には、内筒１４２の孔１４２ｇの周囲の面取り部（凹部）の一部が外筒１４３の洗浄水出口１４３ｅに対向するとともに、内筒１４２の孔１４２ｅの周囲の面取り部（凹部）の一部が外筒１４３の洗浄水出口１４３ｃに対向する。したがって、少量の洗浄水が洗浄水入口１４３ａより内筒１４２の内部を通過して、矢印Ｗ２および矢印Ｗ３で示すように洗浄水出口１４３ｃ，１４３ｅから流出する。
【００６２】
次に、図４（ｄ）に示すように、モータ１４１が内筒１４２を１８０度回転させた場合には、内筒１４２の孔１４２ｅの周囲の面取り部（凹部）が外筒１４３の洗浄水出口１４３ｃに対向する。したがって、洗浄水が洗浄水入口１４３ａより内筒１４２の内部を通過して、矢印Ｗ３で示すように洗浄水出口１４３ｃから流出する。
【００６３】
次に、図４（ｅ）に示すように、モータ１４１が内筒１４２を２２５度回転させた場合には、内筒１４２の孔１４２ｅの周囲の面取り部（凹部）の一部が外筒１４３の洗浄水出口１４３ｃに対向するとともに、内筒１４２の孔１４２ｆの周囲の面取り部（凹部）の一部が外筒１４３の洗浄水出口１４３ｄに対向する。したがって、少量の洗浄水が洗浄水入口１４３ａより内筒１４２の内部を通過して、矢印Ｗ３および矢印Ｗ４で示すように洗浄水出口１４３ｃ，１４３ｄから流出する。
【００６４】
また、図４（ｆ）に示すように、モータ１４１が内筒１４２を２７０度回転させた場合には、内筒１４２の孔１４２ｆの周囲の面取り部（凹部）が外筒１４３の洗浄水出口１４３ｄに対向する。したがって、洗浄水が洗浄水入口１４３ａより内筒１４２の内部を通過して、矢印Ｗ４で示すように洗浄水出口１４３ｄから流出する。
【００６５】
以上のように、制御部４からの制御信号に基いてモータ１４１が回転することにより内筒１４２の孔１４２ｅ，１４２ｆ，１４２ｇのいずれかが外筒１４３の洗浄水出口１４３ｂ〜１４３ｅに対向し、洗浄水入口１４３ａから流入した洗浄水が洗浄水出口１４３ｂ〜１４３ｅのいずれかから流出する。
【００６６】
図５は、図４の切替弁１４の洗浄水出口１４３ｃ，１４３ｄからおしりノズル１に流出する洗浄水の流量、洗浄水出口１４３ｂからビデノズル２に流出する洗浄水の流量および洗浄水出口１４３ｅからノズル洗浄用ノズル３に流出する洗浄水の流量を示す図である。図５の横軸はモータ１４１の回転角度を示し、縦軸は洗浄水出口１４３ｂ〜１４３ｅから流出する洗浄水の流量を示す。また、実線Ｑ１が洗浄水出口１４３ｃからおしりノズル１に流出する洗浄水の流量の変化を示し、一点鎖線Ｑ２が洗浄水出口１４３ｄからおしりノズル１に流出する洗浄水の流量の変化を示し、二点鎖線Ｑ３が洗浄水出口１４３ｂからビデノズル２に流出する洗浄水の流量の変化を示し、破線Ｑ４が洗浄水出口１４３ｅからノズル洗浄用ノズル３に流出する洗浄水の流量の変化を示す。
【００６７】
例えば、図５に示すように、モータ１４１が回転しない場合（０度）、洗浄水出口１４３ｂからビデノズル２に流出する洗浄水の流量Ｑ３は最大値を示す。
そして、モータ１４１の回転角度が大きくなるとともに洗浄水出口１４３ｂからビデノズル２に流出する洗浄水の流量Ｑ３が減少し、洗浄水出口１４３ｅからノズル洗浄用ノズル３に流出する洗浄水の流量Ｑ４が増加する。
【００６８】
次いで、モータ１４１が９０度回転した場合、洗浄水出口１４３ｅからノズル洗浄用ノズル３に流出する洗浄水の流量Ｑ４は最大値を示す。そして、モータ１４１の回転角度がさらに大きくなるとともに洗浄水出口１４３ｅからノズル洗浄用ノズル３に流出する洗浄水の流量Ｑ４が減少し、洗浄水出口１４３ｃからおしりノズル１に流出する洗浄水の流量Ｑ１が増加する。
【００６９】
続いて、モータ１４１が１８０度回転した場合、洗浄水出口１４３ｃからおしりノズル１に流出する洗浄水の流量Ｑ１は最大値を示す。そして、モータ１４１の回転角度がさらに大きくなるとともに洗浄水出口１４３ｃからおしりノズル１に流出する洗浄水の流量Ｑ１が減少し、洗浄水出口１４３ｄからおしりノズル１に流出する洗浄水の流量Ｑ２が増加する。
【００７０】
続いて、モータ１４１が２７０度回転した場合、洗浄水出口１４３ｄからおしりノズル１に流出する洗浄水の流量Ｑ２は最大値を示す。そして、モータ１４１の回転角度がさらに大きくなるとともに洗浄水出口１４３ｄからおしりノズル１に流出する洗浄水の流量Ｑ２が減少し、洗浄水出口１４３ｂからビデノズル２に流出する洗浄水の流量Ｑ３が増加する。
【００７１】
図６は、瞬間加熱装置３３の構造を示す一部切り欠き断面図である。図６において、瞬間加熱装置３３は、ケーシング５０４、シーズヒータ５０５、熱伝導体５０６、配管５１０、サーミスタ３３ａ、サーモスタット３３ｂおよび温度ヒューズ３３ｃを含む。
【００７２】
ケーシング５０４は略直方体形状を有する。ケーシング５０４内には配管５１０とシーズヒータ５０５とが長手方向に延びるように所定の間隔をおいて併設されており、各々の両端部はケーシング５０４の両端面から外部へ突出している。
【００７３】
ケーシング５０４内において、配管５１０およびシーズヒータ５０５は熱伝導体５０６に覆われている。シーズヒータ５０５は電熱線を内蔵し、電力が供給されることにより発熱する。
【００７４】
上述のノズル洗浄時においては、図３の切替弁１４の洗浄水出口１４３ｅから供給される洗浄水が給水口５１１から配管５１０内へ導入される。
【００７５】
シーズヒータ５０５に電力が供給されると、シーズヒータ５０５により発生する熱が熱伝導体５０６を通じて配管５１０に伝達される。これにより、配管５１０内に導入された洗浄水が加熱され、ノズル洗浄用高温水またはノズル洗浄用水蒸気が排出口５１２から排出される。
【００７６】
ここで、図６において配管５１０の給水口５１１側を瞬間加熱装置３３の上流側とし、排出口５１２側を瞬間加熱装置３３の下流側とすると、サーミスタ３３ａおよびサーモスタット３３ｂは瞬間加熱装置３３の下流側に設けられている。また、温度ヒューズ３３ｃはケーシング５０４の側面に設けられている。
【００７７】
なお、本実施例において、サーミスタ３３ａ、サーモスタット３３ｂおよび温度ヒューズ３３ｃは、各々動作基準温度が異なる。それにより、３段階の過熱防止の調整を行うことができる。さらに、サーミスタ３３ａ、サーモスタット３３ｂおよび温度ヒューズ３３ｃのいずれか１つが故障しても、残りの２つにより過熱が防止される。
【００７８】
サーミスタ３３ａは、シーズヒータ５０５に取り付けられ、シーズヒータ５０５の温度を検知する。制御部４は、サーミスタ３３ａから与えられるシーズヒータ５０５の温度を判定し、過熱状態にある場合、シーズヒータ５０５の温度を低下させるように制御を行う。
【００７９】
サーモスタット３３ｂは、配管５１０内を流通する洗浄水の温度を検知可能に取り付けられる。配管５１０内を流通する洗浄水の温度がサーモスタット３３ｂの動作基準温度を超過した場合、サーモスタット３３ｂは、シーズヒータ５０５の電力供給を遮断するように動作する。
【００８０】
最後に、温度ヒューズ３３ｃは、ケーシング５０４に密着固定されている。ケーシング５０４の温度が温度ヒューズ３３ｃの動作基準温度を超過した場合、温度ヒューズ３３ｃが溶断することによりシーズヒータ５０５への電力供給が遮断される。
【００８１】
以上のサーミスタ３３ａ、サーモスタット３３ｂおよび温度ヒューズ３３ｃの働きにより、シーズヒータ５０５による洗浄水の過熱およびシーズヒータ５０５自体の過熱が防止される。
【００８２】
なお、第１の実施例に係る瞬間加熱装置３３においては、洗浄水の加熱手段としてシーズヒータ５０５を用いるが、これに限らず、マイカヒータ、セラミックヒータ、またはプリントヒータ等を用いてもよい。
【００８３】
さらに、サーミスタ３３ａ、サーモスタット３３ｂおよび温度ヒューズ３３ｃの各々が瞬間加熱装置３３の過熱を防止しているが、サーミスタ３３ａまたはサーモスタット３３ｂを制御部４と接続することにより、制御部４がサーミスタ３３ａまたはサーモスタット３３ｂの温度測定値に基づいてシーズヒータ５０５の温度をフィードバック制御またはフィードフォワード制御してもよい。
【００８４】
図７は、第１の実施例に係る噴射ガン１７の模式図である。
図７に示すように、噴射ガン１７は、耐熱ホース１７１、グリップ部１７２、噴射ガン本体部１７３、噴出ノズル１７７およびノズル先端部１７８により構成される。
【００８５】
噴射ガン本体部１７３は、ほぼ直方体の形状を有している。噴射ガン本体部１７３の一端部には、噴出ノズル１７７が設けられ、噴出ノズル１７７の先端部にはノズル先端部１７８が着脱可能に取り付けられている。ノズル先端部１７８の先端部には水蒸気または洗浄水を噴出するための噴出孔が形成されている。
【００８６】
噴射ガン本体部１７３の他端部側の下部にはグリップ部１７２が設けられている。グリップ部１７２の下部には耐熱ホース１７１が接続されている。耐熱ホース１７１から供給された水蒸気または洗浄水は、グリップ部１７２、噴射ガン本体部１７３、噴出ノズル１７７およびノズル先端部１７８を通してノズル先端部１７８の噴出孔から噴出される。
【００８７】
耐熱ホース１７１にはシリコンホース等の耐熱性および柔軟性に優れた素材が用いられる。グリップ部１７２、噴射ガン本体部１７３、噴出ノズル１７７およびノズル先端部１７８には耐熱性に優れた耐熱ＡＢＳ、ノンハロゲン樹脂等の耐熱性素材が用いられる。それにより、高温の蒸気によって熱変形することがない。
【００８８】
噴射ガン本体部１７３は、引金１７４、チャイルドロックボタン１７５および温度調整部１７６を備える。
【００８９】
使用者により引金１７４、チャイルドロックボタン１７５および温度調整部１７６が操作される。それにより、噴射ガン１７は、図２の制御部４に所定の信号を与える。
【００９０】
使用者が引金１７４を引くと耐熱ホース１７１から洗浄水または水蒸気が供給され、ノズル先端部１７８の噴出孔から噴出される。それにより、トイレ内の任意の箇所を洗浄または蒸気除菌することができる。
【００９１】
使用者が引金１７４を離すと耐熱ホース１７１からの洗浄水または水蒸気の供給が停止する。それにより、使用者の必要に応じて洗浄水または水蒸気を噴出させることができる。また、洗浄または蒸気除菌する箇所以外の箇所に誤って蒸気が噴出されない。
【００９２】
チャイルドロックボタン１７５は、噴射ガン１７の誤動作を防止するためのボタンである。チャイルドロックボタン１７５が押下されると、噴射ガン１７から制御部４に与えられる信号が無効とされる。それにより、幼児等が誤って引金１７４を引いても噴射ガン１７は動作しないため、安全が確保される。この場合、チャイルドロックボタン１７５が連続して、例えば、３秒以上押下されると噴射ガン１７から制御部４に与えられる信号が有効とされる。
【００９３】
温度調整部１７６は、ノズル先端部１７８の噴出孔から噴出される洗浄水の温度または状態を変化させるためのスイッチである。温度調整部１７６は、温度調整ツマミ１７６ａを有する。
【００９４】
使用者が温度調整ツマミ１７６ａを「冷」側にスライドさせると、図２の切替弁１４から瞬間加熱装置３３に供給される洗浄水の流量が増加し、瞬間加熱装置３３の加熱能力が不足して冷水が噴射ガン１７に供給される。
【００９５】
使用者が温度調整ツマミ１７６ａを「温」側にスライドさせると、切替弁１４から瞬間加熱装置３３に供給される洗浄水の流量が減少し、瞬間加熱装置３３により十分に加熱された洗浄水が噴射ガン１７に供給される。
【００９６】
使用者が温度調整ツマミ１７６ａを「蒸気」までスライドさせると、切替弁１４から瞬間加熱装置３３に供給される洗浄水の流量がさらに減少して、瞬間加熱装置３３により加熱された水蒸気が噴射ガン１７に供給される。以上のことから、用途に応じた洗浄または除菌をすることができる。
【００９７】
噴出ノズル１７７には温度センサ１２ｄが設けられている。温度センサ１２ｄは、噴出ノズル１７７を流動する洗浄水または水蒸気の温度を測定し、図２の制御部４に温度測定値を与える。制御部４は、温度センサ１２ｄから与えられる温度測定値に基づき、切替弁１４から瞬間加熱装置３３に供給される洗浄水の流量をフィードバック制御する。
【００９８】
図８は、図７のノズル先端部１７８のその他の例を示す模式図である。
図８に示すように、ノズル先端部１７８ａにはブラシが設けられている。また、ブラシに沿って洗浄水または水蒸気が噴出されるように噴出孔が設けられている。それにより、汚れに水蒸気を噴射しながらブラシ掃除を行うことが可能であり、効率的な掃除が可能である。
【００９９】
図９は、図７のノズル先端部１７８のさらに他の例を示す模式図である。
図９に示すように、ノズル先端部１７８ｂの先端部が細くなっている。それにより、ノズル先端部１７８ｂから洗浄水または水蒸気が勢いよく噴出する。したがって、汚れに対して水蒸気または洗浄水を勢い良く噴射することができ、効率的な掃除が可能である。
【０１００】
以上、図７〜図９で説明したようにノズル先端部１７８，１７８ａ，１７８ｂが交換可能であるため、洗浄または除菌する箇所に見合ったノズル先端部を使用することが可能である。
【０１０１】
本実施例においては、切替弁１４から瞬間加熱装置３３に供給される洗浄水の流量をフィードバック制御したが、それに限られない。例えば、温度センサ１２ｄから与えられる温度測定値に基づき、瞬間加熱装置３３の出力をフィードバック制御してもよい。
【０１０２】
また、本実施例においては、瞬間加熱装置３３および切替弁１４が蒸気発生手段に相当し、噴射ガン１７が蒸気噴出装置に相当し、耐熱ホース１７１が管状部材に相当し、引金１７４が噴出指示手段、スイッチおよび引金スイッチに相当し、切替弁１６が蒸気供給手段に相当し、チャイルドロックボタン１７５が有効化手段に相当し、噴射ガン本体部１７３が本体部に相当し、ノズル先端部１７８が噴出部材に相当し、本体部２００が装置本体部に相当し、収納スペース１８が収納部に相当し、瞬間加熱装置３３が加熱装置に相当し、切替弁１４が洗浄水供給手段および流量調整手段に相当し、切替弁１６が切り替え手段に相当する。
【０１０３】
（第２の実施例）
図１０は、第２の実施例に係る衛生洗浄装置１００の本体部２００ａの構成を示す模式図である。
【０１０４】
図１０の本体部２００ａが図２の本体部２００と相違する点は、切替弁１４と瞬間加熱装置３３との間に切替弁１６が配置されており、後述するように噴射ガン１７ａに瞬間加熱装置が内蔵されている点である。
【０１０５】
図１１は、噴射ガン１７ａの一部切り欠き断面図である。
図７の噴射ガン１７と異なる点は、本体部１７３に瞬間加熱装置３４を内蔵している点である。瞬間加熱装置３４の構造および動作は図６の瞬間加熱装置３３と同じである。噴射ガン１７ａのその他の構成および動作は、図７の噴射ガン１７と同じである。
【０１０６】
本実施例においては、噴射ガン１７の内部で洗浄水を加熱するため、耐熱ホース１７１に耐熱性が要求されない。したがって、コストが低減する。
【０１０７】
また、本実施例においては、瞬間加熱装置３４および切替弁１４が蒸気発生手段に相当する。
【０１０８】
（第３の実施例）
図１２は、第３の実施例に係る衛生洗浄装置１００の本体部２００ｂの構成を示す模式図である。
【０１０９】
図１２の本体部２００ｂが図２の本体部２００と相違する点は、切替弁１６がなく、ノズル洗浄用ノズル３の代替手段として噴射ガン１７ｂが設けられている点である。
【０１１０】
噴射ガン１７ｂに供給された洗浄水または水蒸気は、おしりノズル１およびビデノズル２に噴射される。それにより、おしりノズル１およびビデノズル２が水蒸気洗浄される。後述するように、噴射ガン１７ｂは、便器等の洗浄用としても使用される。
【０１１１】
図１３は第３の実施例に係る衛生洗浄装置１００を便器に装着した状態を示す斜視図である。
【０１１２】
図１４は、本体部２００の模式的断面図である。図１４（ａ）は、噴射ガン１７ｂがノズル洗浄または除菌用として使用されている場合を示し、図１４（ｂ）は、噴射ガン１７ｂがトイレ内の任意の箇所の洗浄または除菌用として使用されている場合を示す。
【０１１３】
図１３および図１４に示すように、本体部２００には、開閉蓋２１２が開閉自在に設けられている。図１４（ａ）および図１４（ｂ）に示すように、噴射ガン１７ｂがノズル部３０に着脱可能に設けられている。噴射ガン１７ｂがノズル部３０に装着されている場合、噴射ガン１７ｂに洗浄水または水蒸気が供給されると、おしりノズル１およびビデノズル２の洗浄または除菌が行われる。
【０１１４】
図１３および図１４（ｂ）に示すように、開閉蓋２１２を開いて噴射ガン１７ｂをノズル部３０から取り外すと、噴射ガン１７ｂに洗浄水または水蒸気が供給されることにより、トイレ内の任意の箇所の洗浄または除菌を行うことができる。
【０１１５】
以上図１３および図１４で説明したように、用途に応じた使い方が可能である。また、ノズル部３０を洗浄または除菌する専用のノズル装置を設ける必要がないため、本体部２００をコンパクトな構造にすることができる。
【０１１６】
【発明の効果】
本発明に係る衛生洗浄装置においては、給水源から供給される洗浄水が蒸気発生手段により蒸気となり、柔軟性を有する管状部材を通って蒸気噴出装置の噴出孔から噴出する。したがって、薬剤または掃除用具を準備することなく、トイレ内の任意の箇所を蒸気により洗浄することができるとともに蒸気により除菌することができる。
【図面の簡単な説明】
【図１】本発明の一実施例に係る衛生洗浄装置を便器に装着した状態を示す斜視図
【図２】本発明の第１の実施例に係る衛生洗浄装置の本体部の構成を示す模式図
【図３】（ａ）は切替弁の縦断面図であり、（ｂ）は（ａ）の切替弁のＡ−Ａ線断面図であり、（ｃ）は（ａ）の切替弁のＢ−Ｂ線断面図
【図４】図３の切替弁の動作を示す断面図
【図５】図４の切替弁の洗浄水出口からおしりノズルに流出する洗浄水の流量、洗浄水出口からビデノズルに流出する洗浄水の流量および洗浄水出口からノズル洗浄用ノズルに流出する洗浄水の流量を示す図
【図６】瞬間加熱装置の構造を示す一部切り欠き断面図
【図７】第１の実施例に係る噴射ガンの模式図
【図８】図７のノズル先端部のその他の例を示す模式図
【図９】図７のノズル先端部のさらに他の例を示す模式図
【図１０】第２の実施例に係る衛生洗浄装置の本体部の構成を示す模式図
【図１１】噴射ガンの一部切り欠き断面図
【図１２】第３の実施例に係る衛生洗浄装置の本体部の構成を示す模式図
【図１３】第３の実施例に係る衛生洗浄装置を便器に装着した状態を示す斜視図
【図１４】本体部の模式的断面図
【符号の説明】
３  ノズル洗浄用ノズル
４  制御部
１４，１６  切替弁
１５  熱交換器
１７  噴射ガン
１８  収納スペース
３０  ノズル部
１７１  耐熱ホース
１７３  噴射ガン本体部
１７４  引金
１７５  チャイルドロックボタン
１７６  温度調整部
１７６ａ  温度調整つまみ
１７７  水蒸気噴出ノズル
１７８，１７８ａ，１７８ｂ  ノズル先端部
２００  本体部
２１２  開閉部
３００  遠隔操作装置
【図１】
2004270137.tif 000003
【図２】
2004270137.tif 000004
【図３】
2004270137.tif 000005
【図４】
2004270137.tif 000006
【図５】
2004270137.tif 000007
【図６】
2004270137.tif 000008
【図７】
2004270137.tif 000009
【図８】
2004270137.tif 000010
【図９】
2004270137.tif 000011
【図１０】
2004270137.tif 000012
【図１１】
2004270137.tif 000013
【図１２】
2004270137.tif 000014
【図１３】
2004270137.tif 000015
【図１４】
2004270137.tif 000016